(57)【要約】      （修正有）【課題】工程の複雑化及びコストアップを抑えつつ様々な色相を呈する金属色様の外観を得ることのできる樹脂成形品の提供。【解決手段】単一の材料から構成され光透過性のある板状部分を有し平坦面を有する第一の面２と、複数の凸部４１が形成されている第二の面３とを備え、樹脂成形品１を外部から第一の面２に向かって見たときに金属色様の外観が得られる加飾樹脂成形品において、個々の凸部３１を、微小凹凸部を有する第一の傾斜面４と平坦な面を有する第二の傾斜面５とを備えた構成とし、第一の面２側から進入してきた光の少なくとも一部を第一の傾斜面４の微小凹凸部４１によって第二の傾斜面の平坦面５１側に向かって全反射させると共に回折及び干渉させ、第二の傾斜面５の平坦面５１により所定の波長の可視光を第一の面に向かって選択的に反射させることにより金属色様と共に少なくとも一色の色彩を得る。【選択図】図２
2017107107.tif 000002
【特許請求の範囲】
【請求項１】
単一の材料から構成され、光透過性のある板状部分を有する樹脂成形品であって、
前記樹脂成形品は、平坦面を有する第一の面と、複数の凸部が形成されている第二の面と、を備え、
前記樹脂成形品を外部から第一の面に向かって見たときに、金属色様の外観が得られる加飾樹脂成形品において、
前記個々の凸部を、微小凹凸部を有する第一の傾斜面と、平坦な面を有する第二の傾斜面と、を備えた構成とし、
前記第一の面側から進入してきた光の少なくとも一部を、前記第一の傾斜面の前記微小凹凸部によって前記第二の傾斜面の前記平坦面側に向かって全反射させるとともに回折及び干渉させ、前記第二の傾斜面の前記平坦面により所定の波長の可視光を前記第一の面に向かって選択的に反射させることにより、前記金属色様と共に、少なくとも一色の色彩が得られることを特徴とする加飾樹脂成形品。
【請求項２】
請求項１記載の加飾樹脂成形品であって、前記微小凹凸部は、鋸歯状の回折格子となっていることを特徴とする加飾樹脂成形品
【請求項３】
請求項１又は２に記載の加飾樹脂成形品であって、前記複数の凸部には、前記微小凹凸部の回折面角度、全反射面角度及び溝角度の少なくとも一つが異なる凸部が存在することを特徴とする加飾樹脂成形品。
【請求項４】
請求項１から３の何れか１項に記載の加飾樹脂成形品であって、前記第一の面または前記第二の面の少なくとも一方の面が曲面であることを特徴とする加飾樹脂成形品。
【請求項５】
請求項１から４の何れか１項に記載の加飾樹脂成形品であって、前記微小凹凸部の中に平坦状の透明部分を配置し、その透明部分の形状が文字、図形、記号となっており、前記透明部分によって文字、図形、記号を表示する、又は、
前記微小凹凸部の形状が文字、図形、記号となっており、前記微小凹凸部における全反射によって文字、図形、記号を表示する、ことを特徴とする加飾樹脂成形品。
【発明の詳細な説明】
【技術分野】
【０００１】
本発明は、金属色様の外観が得られる樹脂成形品に関する。
【背景技術】
【０００２】
樹脂は、所望の形状に成形することが可能であり、日常のありとあらゆる物品に用いられている。そして、この樹脂成形品に金属色のような（金属色様の）外観を付することで、樹脂成形品に高級感を与えて商品価値を高めることができる。
【０００３】
この樹脂成形品に金属色のような外観を付する（加飾する）技術に関する文献としては、例えば下記特許文献１及び２がある。
【０００４】
また一方で、下記特許文献３には、装飾模様を発色する回折格子が凹状反射面の前面に亘り一定のピッチで形成されている装飾用パネルが開示されている。
【先行技術文献】
【特許文献】
【０００５】
【特許文献１】特許第４７４８４７０号公報
【特許文献２】特許第５７９８２３３号公報
【特許文献３】特許第５３５１４１２号公報
【発明の概要】
【発明が解決しようとする課題】
【０００６】
しかしながら、上記特許文献１に記載の技術は、２種以上の金属を主成分とした蒸着膜が表面に形成された加飾樹脂成形品であって、金属材料を別途用いる必要があり、また、蒸着工程が必要であるため、工程の複雑化及びコストアップが避けられない。
【０００７】
上記特許文献２に記載の技術は、上記特許文献１の課題を解決し、光の全反射を利用することによって金属色様の外観を実現している。しかしながら、金属色様に加えて、更に様々な色相を呈することができれば付加価値が向上することは言うまでもない。
【０００８】
一方、上記特許文献３に記載の技術は、装飾模様を発色する回折格子を備えているが、回折格子によって回折する光を直接観測者側に返す構造となっており、光の入射方向と出射方向が大きく異なっており、観測する角度によって大きく色が異なってしまう、更には、全面に回折格子が形成されたものであるため、一部の回折光しか利用することができず、また金属色様を呈するものではない。
【０００９】
そこで、本発明は、上記課題に鑑み、工程の複雑化及びコストアップを抑えつつ、金属色様の外観と共に、少なくとも一色の色彩が得られる加飾樹脂成形品を提供することを目的とする。
【課題を解決するための手段】
【００１０】
上記課題を解決する本発明の一の観点に係る加飾樹脂成形品は、単一の材料から構成され、光透過性のある板状部分を有し、平坦面を有する第一の面と、複数の凸部が形成されている第二の面と、を備え、樹脂成形品を外部から第一の面に向かって見たときに、金属色様の外観が得られるものであり、個々の凸部を、微小凹凸部を有する第一の傾斜面と、平坦な面を有する第二の傾斜面と、を備えた構成とし、第一の面側から進入してきた光の少なくとも一部を、第一の傾斜面の微小凹凸部によって第二の傾斜面の平坦面側に向かって、全反射させるとともに回折及び干渉させ、第二の傾斜面の平坦面により所定の波長の可視光を第一の面に向かって選択的に反射させることにより、金属色様と共に、少なくとも一色の色彩が得られるものとなっている。
【００１１】
また、本観点において、微小凹凸部は、鋸歯状の回折格子となっていてもよい。
【００１２】
また、本観点において、複数の凸部には、微小凹凸部の回折面角度、全反射面角度及び溝角度の少なくとも一つが異なる凸部が存在していてもよい。  
【００１３】
また、本観点において、第一の面または第二の面の少なくとも一方の面が曲面であってもよい。
【００１４】
また、本観点において、微小凹凸部の中に平坦状の透明部分を配置し、その透明部分の形状が文字、図形、記号となっており、透明部分によって文字、図形、記号を表示してもよいし、又は、微小凹凸部の形状が文字、図形、記号となっており、微小凹凸部における全反射によって文字、図形、記号を表示してもよい。
【発明の効果】
【００１５】
以上、本発明により、工程の複雑化及びコストアップを抑えつつ、一色以上の色彩が得られるとともに、金属色様を呈する加飾樹脂成形品を提供することができる。
【図面の簡単な説明】
【００１６】
【図１】実施形態に係る加飾樹脂成形品の概略を示す図である。
【図２】実施形態に係る加飾樹脂成形品の概略断面図である。
【図３】実施形態に係る加飾樹脂成形品の一適用分野の例を示す図である。
【図４】実施形態に係る凹凸溝部の溝の例を示す図である。
【図５】実施形態に係る凹凸溝部の溝の例を示す図である。
【図６】実施形態に係る加飾樹脂成形品のより詳細な断面図である。
【図７】実施形態に係る加飾樹脂成形品のカラー表示のイメージ図である。
【図８】実施形態に係る第一の面に保護膜を形成した場合の概略を示す図である。
【図９】実施形態に係る凹凸溝部に保護膜を形成した場合の概略を示す図である。
【図１０】実施形態に係る凸部の他の一例を示す図である。
【図１１】実施形態に係る微小凹凸部の他の一例を示す図である。
【図１２】実施例に係る加飾樹脂成形品の実際の例を示す図である。
【発明を実施するための最良の形態】
【００１７】
以下、本発明の実施形態について、図面を用いて詳細に説明する。ただし、本発明は多くの異なる形態による実施が可能であり、以下に示す実施形態、実施例の例示にのみ狭く限定されるわけではない。
【００１８】
図１は、本実施形態に係る加飾樹脂成形品（以下「本成形品」という。）１の概略を示す図であり、図２は、本成形品１の板状部分の概略断面を示す図である。
【００１９】
より具体的に説明すると、本成形品１は、単一の材料から構成された光透過性のある板状部分を有する金属色様の外観が得られる樹脂成形品であって、平坦面２１が形成された第一の面２と、複数の凸部３１が形成された第二の面３と、を備えている。
【００２０】
また、本成形品１において、凸部３１は更に、微小凹凸部４１が形成された第一の傾斜面４と、平坦面５１が形成された第二の傾斜面５と、を備えている。
【００２１】
そして、本成形品１は、第一の面２側から進入してきた光の少なくとも一部を、第一の傾斜面４の微小凹凸部４１によって第二の傾斜面５の平坦面５１側に全反射させるとともに回折及び干渉し、第二の傾斜面５の平坦面５１により所定の範囲の波長を選択的に反射させて第一の面２から光を放出させることで金属色様とともに少なくとも一色の色彩が得られるようになっている。なおここで「金属色様」とは、本成形品１を観測した者（以下「観測者」という。）が、金属によるコーティングがなされているかのように見える状態のことをいう。
【００２２】
本成形品１において、主要な部材である樹脂は、透過性を有し、所望の形状に加工、成形できる高分子材料である。本成形品１において用いることのできる樹脂としては、後述するように、所望の屈折率を得ることができる限りにおいて限定されるわけではないが、例えば、ポリカーボネート、ポリエチレン、ポリプロピレン、ポリ塩化ビニル、ポリエステル、アクリル、シクロオレフィンポリマー（ＣＯＰ）、環状オレフィンコポリマー（ＣＯＣ）等の熱可塑性樹脂、フェノール樹脂、ポリウレタン、熱硬化性ポリイミドなどの熱硬化性樹脂、又は光硬化性樹脂を例示することができる。また、樹脂は、無色透明、無色半透明、有色透明、有色半透明のいずれかであっても構わない。
【００２３】
また本成形品１は単一の材料で構成されている。単一の材料で構成することによって、複雑な工程を設けることなく、所望の金属色様とともに、少なくとも一色の色彩を有する外観を得ることができるようになる。
【００２４】
本成形品１の板状部分では、上記のとおり第二の面３に複数の凸部３１が形成されている。本成形品１の板状部分は、必ずしも平行平板状である必要はなく、前記第一の面または前記第二の面の少なくとも一方の面が曲面であってもよい。この場合、例えば、図３で示すように、化粧品や飲料の容器等のキャップや、棒状部材が付された車等の機械装置に付されるエンブレム等の静的な部品や、時計の針等の動的な部品等、様々な用途に用いることができる。
【００２５】
また本成形品１において、樹脂は光透過性を備えている。ここで「光透過性」とは、入射された光の少なくとも一部を透過する性質をいう。この限りにおいて限定されるわけではないが、具体的には、樹脂の板状部分であって、凹部近傍ではあるが凸部が形成されていない部分における光（６３３ｎｍ）の透過率が０％より高く６０％以下であることが好ましく、より好ましくは５％以上５０％以下である。０％より高くすることによって、樹脂内部で光が伝播、反射、回折及び干渉することが可能となって観測者に金属色様の外観を認識させるとともに少なくとも一色の色彩を得ることが可能となり、５％以上とすることでこの効果が顕著となる。一方、光の透過率を６０％以下とすることで金属色様の度合いを高くし美観を維持することが可能となり、５０％以下とすることでこの効果が顕著となる。
【００２６】
また本成形品１では、上記のとおり平坦面２１が形成された第一の面２を備えている。本成形品１では、第一の面２から光が入射され、樹脂内を伝播し、少なくとも一部の光が回折、干渉及び全反射され、再びこの第一の面２から光が放出され、観測者の目に入ることで所望の金属色を呈しているとともに少なくとも一色の色彩を認識させることが可能となる。ここで「平坦面」は、第二の面の凸部等と異なり、光を散乱させてしまうような凹凸を有しておらず、鏡面程度の滑らかさを有している面をいう。
【００２７】
また本成形品１では、上記のとおり、複数の凸部３１が形成された第二の面３を備えている。本成形品１は、複数の凸部３１を備えることで、凹凸が規則的に繰り返され、そのそれぞれ光が回折、干渉及び反射されることで光量を確保し、強い金属色様とともに少なくとも一色の色彩を得ることが可能となる。
本成形品１では、微小凹凸部の中に平坦状の透明部分を配置し、その透明部分の形状を文字、図形、記号とし、その透明部分によって文字、図形、記号を表示することもできる。又、微小凹凸部の形状を文字、図形、記号とし、微小凹凸部における全反射によって文字、図形、記号を表示することもできる。
【００２８】
なお、複数の凸部は規則的な構造を備えている限りにおいて形状は限定されず、例えば図４で示すように、直線的な凸部が略平行に配置された構造であってもよく、図５で示すように、円状の凸部が同心円的に配置された構造であってもよい。
【００２９】
また本成形品１において、凸部３１は、上記の図で示すように、更に第一の傾斜面４と第二の傾斜面５を備えており、第一の傾斜面４には微小凹凸部４１が形成され、第二の傾斜面５には平坦面５１が形成されている。
【００３０】
本成形品１において、凸部３１の第二の面５には、平坦面５１が形成されている。ここで「平坦面」とは、上記第一の面２における平坦面２１と同様である。
【００３１】
また本成形品において、凸部３１の第一の面４には、微小な凹凸部４１が形成されている。本成形品１では、微小凹凸部４１を備えることで、特定の波長範囲で回折及び干渉を起こすとともに全反射し、金属色様とともに、少なくとも一色の色彩を得ることが可能となる。
【００３２】
本成形品における微小凹凸部４１は、上記の機能を有することができる限りにおいて様々な形状を採用することができるが、全反射部分を備えこれが周期的に配置された構造を備えていることが好ましく、より具体的には鋸歯状の回折格子となっていることが好ましい。この詳細な断面について図６に示すとともに、本成形品が発揮する機能の原理について説明する。なお、本図では、説明を簡単にする観点から、樹脂の板状部分における平坦面２１に平行な面を水平面Ｈと定義し、この水平面Ｈに対し垂直な方向を観測者が本成形品１を見る角度（光が入射する角度）として説明していく。ただし、本成形品の機能を発揮できる限りにおいて幾何学的構造は適宜調整可能であることはいうまでもない。
【００３３】
本図６で示すように、第一の傾斜面４における微小凹凸部４１は鋸歯状となっており、基本となる全反射部分Ｒを備えている一方、この全反射部分Ｒが周期的なピッチｄで設けられるよう形成されている。なお本成形品１において、第一の傾斜面４の微小凹凸部４１の頂点を結んで形成される面を回折面Ｄと定義する。また、本成形品１において、水平面Ｈと回折面Ｄとのなす角度、即ち回析面角度をθｄと定義し、水平面Ｈと全反射部分Ｒの角度、即ち溝角度をθｒと定義し、水平面Ｈと第二の傾斜面５における平坦面５１のなす角度、即ち全反射面角度をθｔと定義する。また、樹脂の屈折率をｎ１、この外側の屈折率をｎ２と定義する。なおｎ１＞ｎ２とする。
【００３４】
本成形品１では、観測者が本成形品１を見る場合の角度は上記のとおり水平面Ｈに対し垂直な方向であるとしているため、まず、入射した光（入射光）は、水平面Ｈに対し垂直な方向から入射される。この光は可視領域の光であって、異なる波長の光を含むいわゆる白色光と考える。
【００３５】
そしてまず入射光は、本製品１内部を伝播し、第一の傾斜面４における凸部３１に到達する。そして入射光は、凸部３１における全反射部分Ｒによって全反射し、第二の傾斜面５の平坦面５１側に方向が変換される。なお、この全反射部分Ｒにおける溝角度θｒは、下記の式（１）を満たす。
【数１】
2017107107.tif 000003
【００３６】
そして、この反射によって、入射光は第二の傾斜面５の平坦面５１に向かって伝播し、平坦面５１によって再び全反射し、第一の面２側に全反射される。この場合において、回折面角度θｄは以下の式（２）を満たす。ただしこの場合において、平坦面５１に対する法線と平坦面５１に入射する光のなす角度をγとおく。
【数２】
2017107107.tif 000004
【００３７】
一方、上記角度γは、第一の傾斜面４の全反射による全反射後の角度であるため計算することが可能である。すなわち角度γは、下記式で表現され、結果上記式（２）は下記のように表される。
【数３】
2017107107.tif 000005
【００３８】
そして、この結果、入射した光は２度の全反射を経由して、再び第一の面２から放出される。なおこの結果において求められる出射角度は出来る限り水平面Ｈに対して垂直な方向であることが好ましく、実際としては垂直から５〜１０度以内の範囲で出射されるようにパラメータを調整することで所望の状態を達成できる。
【００３９】
一方、入射光は、本成形品１内部を伝播し、凸部３１の第一の傾斜面４における微小凹凸部４１に到達すると、入射光は、微小凹凸部４１の回折構造によって波長に応じた回折及び干渉も受け、波長ごとに異なる回折角βで凸部３１内を伝播する。なおこの場合において、回折角βは、微小凹凸部４１における上記ピッチｄ、入射光の回折面Ｄに対する入射角α（回折面Ｄの垂線と入射光とのなす角）を用いて下記関係式を満たす。
【数４】
2017107107.tif 000006
【００４０】
本図６の例では、例えば赤色の波長領域の光は比較的大きな回折角で、青色の回折光は比較的小さな回折角で、緑色の回折光はこれらの間の角度で回折及び干渉する。
【００４１】
そして、本成形品１では、回折及び干渉した光は、第二の傾斜面５における平坦面５１に入射されることとなるが、大きく回折及び干渉した光、上記の例では例えば赤色の波長範囲にある光が全反射角度を満たさない配置となっているため、第一の面２ではなく、凸部３１の第二の傾斜面５の外側に屈折しながら放出される。この結果、全反射条件を満たす波長の光、上記の例でいえば緑色の波長範囲にある光と、青色の波長範囲にある光のみが全反射し、第一の面２から放出されることとなる。この結果、観測者は赤色の波長範囲にある光が除外された結果の光を観測することができるようになる。
【００４２】
より具体的に検討すると、入射光角度α、回折面角度θｄ、全反射面角度θｔの関係は、下記の式で表される。
【数５】
2017107107.tif 000007
【００４３】
そして、上記式に従い、本成形品１及びの第二の面３が接する媒体の屈折率ｎ１、及びピッチｄ、回折面角度θｄ、全反射面角度θｔを調整することで、所望の波長領域では全反射されて第一の面から入射されてもほぼ全て第一の面から放出させることができる一方、所望の波長領域以外の光は、第一の面から入射されても第一の面からではなくその大部分が第二の面から放出されてしまうため、放出されず、結果として所望の色合いを調整することが可能となる。特に、本成形品では、全反射と共に回折及び干渉による光の選択を行っており、全反射の光が強い分、回折光及び強い干渉光を得ることができる。なお、上記のように、青みがかった金属色様の外観を得る場合、緑の中心波長を５５０ｎｍとして下記の式条件式（６）を得ることができる。
【数６】
2017107107.tif 000008
【００４４】
なお、本成形品１において凸部３１及び微小凹凸部４１のサイズとしては、上記の所望の範囲に収めることができる限りにおいて限定されず適宜調整可能であることはいうまでもないが、例えば、凸部３１の幅としては、光を十分に回折、干渉及び反射させることができる範囲として、例えば、１０μｍ以上２００μｍ以下であることが好ましく、より好ましくは２０μｍ以上１００μｍ以下である。凸部の幅を２００μｍ以下とすることで、観測者の目の分解能以下の範囲となり、一本の溝として認識しにくくすることができ、１００μｍ以下とすることでこの効果が顕著となる。一方、凸部の幅を１０μ以上とすることで微小凹凸部のピッチを十分に確保することができるようになる。
【００４５】
また本成形品における凸部４１の高さとしても、光を十分に回折、干渉及び反射させることができる限りにおいて限定されるわけではないが、上記凸部３１の幅と同様の理由により、例えば１０μｍ以上２００μｍ以下であることが好ましく、より好ましくは２０μｍ以上１００μｍ以下である。
【００４６】
また、本成形品１において微小凹凸部４１のピッチｄとしては、上記回折の条件を満たす範囲であれば適宜調整可能であり、例えば０．１μｍ以上２μｍ以下であることが好ましい。
【００４７】
なお、本図では、説明を簡単にする観点から、一つの微小凹凸部を用いて説明を行っているが、同様なことが各微小凹凸部において行われる。そして、各微小凹凸部においてこれらの角度は適宜調整可能である。すなわち、複数の微小凹凸部のうち少なくとも一つは、微小凹凸部の回折面角度、全反射面角度及び溝角度の少なくともいずれかが、他の凹凸溝部のそれと異なっていてもよい。具体的には、ある領域における微小凹凸部と他の領域における微小凹凸部とで上記角度を変化させることで、領域毎に観測者が視認することができる色合いを変え、カラー表示を行わせることが可能となる。この場合のイメージ図を図７に示しておく。
【００４８】
また本成形品１は、上記のように、必要に応じて、第一の面及び第二の面の第一の傾斜面の少なくともいずれかに保護膜又は反射防止膜等を設ける構成とすることも好ましい。第一の面に保護膜又は反射防止膜等を形成した例を図８に、第二の面の第一の傾斜面に保護膜又は反射防止膜等を形成した例を図９に示しておく。
【００４９】
また本製品１において、凸部３１の形状は、第一の傾斜面及び第二の傾斜面を有している限りにおいて限定されず、上記の例で示すように頂点が鋭利な三角形に近い形状であってもよいが、例えば図１０で示すように頂点が平坦な台形に近い形状であってもよい。また、複数の凸部３１同士は、隙間なく隣接していてもよいが、ある程度の隙間をあけて配置することも可能である。
【００５０】
また本成形品１において、微小凹凸部４１の全反射部分Ｒは平坦な面であることが好ましいが、例えば凹曲面であっても、凸曲面であってもよい。なお、平坦な面である場合は、上記した第一の面の平坦面と同程度とすることが好ましい。なお凹曲面の場合の一例を図１１に示しておく。
【００５１】
以上、本実施形態により、工程の複雑化及びコストアップを抑えつつ様々な色相を呈する金属色様の外観が得られる加飾樹脂成形品となる。より具体的には、第二の面における凸部の一方に更に回折及び干渉が可能な微小凹凸部を設けることで、全反射を行う一方、特定の波長範囲の一次回折光について回折及び干渉後に全反射させ、回折及び干渉の結果角度の変わった光の一部を全反射ではなく第二の面側に屈折させて放出させることで、観測者に特定の色合いとなった金属色様の外観を認識させることができる。この結果、いわゆる多色表示が可能となり、商品としての付加価値が極めて高くなる。
【００５２】
以上の記載から明らかであるように、本成形品では、凸部において金属色様と共に色彩を得ることができるため、この部分を文字、図形及び記号（以下「文字等」という。）の形状にすることで文字等として表示することが可能であり、一方、所定の領域にこの凸部を設ける一方、一部この凸部を設けない平坦な部分を文字等の形状としておくことで、いわゆる白抜きの文字等表現を行うことができるようになることはいうまでもない。
【実施例】
【００５３】
上記実施形態に係る加飾樹脂成形品に関し、実際に作製してその効果を確認した。以下具体的に説明する。
【００５４】
まず、平坦な一対の面を有する厚さ０．８ｍｍのアクリル板の一方の面に、図１２で示す寸法の凸部を複数形成した。本図で示す凸部は、上記実施形態で説明したとおり、微小凹凸部を有する第一の傾斜面と、平坦面を有する第二の傾斜面とを備えており、微小凹凸部では、全反射を行う全反射部を備えるとともに、所定のピッチの階段状になっている。そして、可視領域の光を用いて観察したところ、青みがかった金属色様の外観を得ることができることを確認した。またこれは、アクリルをシクロオレフィンポリマー（ＣＯＰ）樹脂に変えた場合においても同様であった。
【００５５】
以上、本発明の効果は実際の樹脂成形品において十分に達成できることを確認した。
【産業上の利用可能性】
【００５６】
本発明は加飾樹脂成形品及びその製造方法として産業上の利用可能性がある。
【符号の説明】
【００５７】
１…樹脂成形品
２…第一の面
３…第二の面
４…第一の傾斜面
５…第二の傾斜面
【図１】
2017107107.tif 000009
【図２】
2017107107.tif 000010
【図３】
2017107107.tif 000011
【図４】
2017107107.tif 000012
【図５】
2017107107.tif 000013
【図６】
2017107107.tif 000014
【図７】
2017107107.tif 000015
【図８】
2017107107.tif 000016
【図９】
2017107107.tif 000017
【図１０】
2017107107.tif 000018
【図１１】
2017107107.tif 000019
【図１２】
2017107107.tif 000020
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
単一の材料から構成され、光透過性のある板状部分を有する樹脂成形品であって、
前記樹脂成形品は、平坦面を有する第一の面と、複数の凸部が形成されている第二の面と、を備え、
前記樹脂成形品を外部から第一の面に向かって見たときに、金属色様の外観が得られる加飾樹脂成形品において、
個々の前記凸部を、微小凹凸部を有する第一の傾斜面と、平坦面を有する第二の傾斜面と、を備えた構成とし、
前記微小凹凸部は、全反射部分を備え、かつ前記全反射部分が周期的なピッチで設けられた形状となっており、
前記第一の面側から進入してきた光の一部を、前記第一の傾斜面の前記微小凹凸部の前記全反射部分によって前記第二の傾斜面の前記平坦面側に向かって全反射させたのち前記第二の傾斜面の前記平坦面により全反射させるとともに、前記第一の面側から進入してきた光の他の一部を、前記周期的なピッチによって回折及び干渉させ前記第二の傾斜面の前記平坦面により所定の波長の可視光を前記第一の面に向かって選択的に反射させることにより、前記金属色様と共に、少なくとも一色の色彩が得られることを特徴とする加飾樹脂成形品。
【請求項２】
請求項１記載の加飾樹脂成形品であって、前記微小凹凸部は、鋸歯状の回折格子となっていることを特徴とする加飾樹脂成形品
【請求項３】
請求項１又は２に記載の加飾樹脂成形品であって、前記複数の凸部には、前記微小凹凸部の回折面角度、全反射面角度及び溝角度の少なくとも一つが異なる凸部が存在することを特徴とする加飾樹脂成形品。
【請求項４】
請求項１から３の何れか１項に記載の加飾樹脂成形品であって、前記第一の面または前記第二の面の少なくとも一方の面が曲面であることを特徴とする加飾樹脂成形品。
【請求項５】
請求項１から４の何れか１項に記載の加飾樹脂成形品であって、前記微小凹凸部の中に平坦状の透明部分を配置し、その透明部分の形状が文字、図形、記号となっており、前記透明部分によって文字、図形、記号を表示する、又は、
前記微小凹凸部の形状が文字、図形、記号となっており、前記微小凹凸部における全反射によって文字、図形、記号を表示する、ことを特徴とする加飾樹脂成形品。